(57)【要約】【課題】ユーザの多様な使用帯域に対応した動的なパスの帯域制御を実現し、柔軟で効率的な光通信システムのパス制御方法を得る。【解決手段】上位レイヤ装置を構成するＲＮ３２〜３４が、ＲＮ３２〜３４に収容されるＯＮＵ３２−１〜３４−Ｎの割当て帯域を計算するステップと、ＲＮ３２〜３４に収容される複数のＯＮＵ３２−１〜３４−Ｎの割当て帯域を集計すると共に、ＡＤＭ２２〜２４内のクライアントＩＦ部の必要帯域を決定し、この必要帯域を集中局側のＯＬＴ１へ通知するステップと、ＯＬＴ１が、ＲＮ３２〜３４の必要帯域から、複数のＡＤＭ２１〜２４に要求すべきパスの帯域を決定し、ＡＤＭ２１〜２４へ要求するステップと、複数のＡＤＭ２２〜２４が、要求されたパスの帯域に従って、それぞれのパスの分岐挿入容量を設定し、パスを形成するステップと、を含む光通信システムのパス制御方法。【選択図】図１
2012124595.tif 000002
【特許請求の範囲】
【請求項１】
ユーザ側の上位レイヤ装置を構成する遠隔装置と、前記遠隔装置に収容されるユーザ側終端装置と、ユーザ側の下位レイヤ装置と、を含む光通信システムに適用され、前記上位レイヤ装置が収容するユーザの割当て帯域に応じて、前記下位レイヤ装置のパスの設定を動的に制御するパス制御方法であって、
前記遠隔装置が、前記ユーザ側終端装置の割当て帯域を計算するステップと、
前記遠隔装置が、複数の前記ユーザ側終端装置の割当て帯域を集計すると共に、前記下位レイヤ装置のインタフェースの必要帯域を決定し、この必要帯域を集中局側の上位レイヤ装置へ通知するステップと、
前記集中局側の上位レイヤ装置が、複数の前記遠隔装置の必要帯域から、複数の前記下位レイヤ装置に要求すべきパスの帯域を決定し、前記下位レイヤ装置へ要求するステップと、
複数の前記下位レイヤ装置が、要求されたパスの帯域に従って、それぞれのパスの帯域を動的に設定し、パスを形成するステップと、
を含むことを特徴とする光通信システムのパス制御方法。
【請求項２】
前記上位レイヤネットワークにおいて、前記遠隔装置および前記ユーザ側終端装置は、ＰＯＮ（Passive Optical Network）を構成していることを特徴とする請求項１に記載の光通信システムのパス制御方法。
【請求項３】
前記遠隔装置および前記ユーザ側終端装置は、ＩＥＥＥ８０２．３のＧＥ−ＰＯＮ（Gigabit Ethernet（登録商標） Passive Optical Network）あるいは１０ＧＥ−ＰＯＮ（10Gigabit Ethernet（登録商標） Passive Optical Network）を構成していることを特徴とする請求項２に記載の光通信システムのパス制御方法。
【請求項４】
前記上位レイヤネットワークにおいて、前記遠隔装置および前記ユーザ側終端装置は、ＡＯＮ（Active Optical Network）を構成していることを特徴とする請求項１に記載の光通信システムのパス制御方法。
【請求項５】
前記遠隔装置および前記ユーザ側終端装置は、ＩＥＥＥ８０２．３のＥｔｈｅｒｎｅｔ（登録商標）を構成していることを特徴とする請求項４に記載の光通信システムのパス制御方法。
【請求項６】
前記下位レイヤネットワークにおいて、前記下位レイヤ装置は、ＩＴＵ−Ｔ Ｇ．７０９のＯＴＵフレームを処理し、ＯＤＵｆｌｅｘ（Optical channel Data Unit, flexible）によるパスの分岐挿入を行うことを特徴とする請求項１に記載の光通信システムのパス制御方法。
【請求項７】
前記下位レイヤ装置は、前記ＯＤＵｆｌｅｘによるパスを分岐挿入するＡＤＭ（Add-Drop Multiplexer）あるいはＯＤＵｆｌｅｘによるパスの経路を切り替えるＸＣ（Cross-Connect）であることを特徴とする請求項６に記載の光通信システムのパス制御方法。
【請求項８】
請求項１〜７に記載の前記遠隔装置と、前記下位レイヤ装置と、前記集中局側の上位レイヤ装置とを備えたことを特徴とする光通信システム。
【発明の詳細な説明】
【技術分野】
【０００１】
本発明は、光通信システムのパス制御方法に関するものである。
【背景技術】
【０００２】
従来の光通信システムのパス制御方法としては、上位レイヤトラヒック量の観測状況に基づき、パスを構成するメンバーパスの増減を制御する方法が提案されている（例えば、特許文献１参照）。
【０００３】
一方で、大容量のデータを伝送するために、ＯＴＮ（Optical Transport Network）がＩＴＵ−Ｔ Ｇ．７０９で標準化されている。Ｇ．７０９では現在、１Ｇｂ／ｓから１００Ｇｂ／ｓまでの伝送速度に対応したＯＤＵ（Optical channel Data Unit）やＯＴＵ（Optical channel Transport Unit） が標準化されており、それらをＷＤＭ（Wavelength Division Multiplex）で多重化転送することで、その波長数倍の伝送容量の光通信システムを構築できる。また、従来のＯＤＵに加え、ユーザの通信容量に応じた低速から高速までの信号を収容できるＯＤＵｆｌｅｘ（Optical channel Data Unit, flexible）も標準化されている（例えば、非特許文献１参照）。
【０００４】
また、ＩＥＥＥ８０２．３ Ｅｔｈｅｒｎｅｔ（登録商標） Ｗｏｒｋｉｎｇ  Ｇｒｏｕｐでは、ＧＥ−ＰＯＮ（Gigabit Ethernet（登録商標） Passive Optical Network）に加えて、１０ＧＥ−ＰＯＮ（10Gigabit Ethernet（登録商標） Passive Optical Network）が標準化され、既にＧＥ−ＰＯＮは、ＦＴＴＨ（Fiber To The Home）のブロードバンドサービスとして、広く普及している（例えば、非特許文献２および３参照）。
【先行技術文献】
【特許文献】
【０００５】
【特許文献１】特開２００５−２０５７２号公報
【非特許文献】
【０００６】
【非特許文献１】ＩＴＵ−Ｔ Ｒｅｃｏｍｍｅｎｄａｔｉｏｎ Ｇ．７０９
【０００７】
【非特許文献２】ＩＥＥＥ８０２．３−２００８
【０００８】
【非特許文献３】ＩＥＥＥ８０２．３ｂａ
【発明の概要】
【発明が解決しようとする課題】
【０００９】
現在のユーザの使用可能帯域はＦＴＴＨを使用しても最大で１Ｇｂ／ｓ程度であるが、大容量が必要なアプリケーションが登場することによって、低速（１Ｍｂ／ｓ）から高速（１００Ｇｂ／ｓ）までの多様なユーザのニーズに対応することが必要と考えられる。しかしながら、従来の光通信システムのパス制御方法では、上位レイヤトラヒック量の観測状況に基づき下位レイヤのメンバーパスを増減させるのみのため、上位レイヤ装置と下位レイヤ装置間で連携した、ユーザの多様な使用帯域に対応した動的な帯域制御ができないという問題点があった。
【００１０】
本発明は、上記に鑑みてなされたものであって、ユーザの多様な使用帯域に対応した動的なパスの帯域制御を実現し、柔軟で効率的な光通信システムおよび光通信システムのパス制御方法を得ることを目的とする。
【課題を解決するための手段】
【００１１】
上述した課題を解決し、目的を達成するために、本発明は、ユーザ側の上位レイヤ装置を構成する遠隔装置と、前記遠隔装置に収容されるユーザ側終端装置と、ユーザ側の下位レイヤ装置と、を含む光通信システムに適用され、前記上位レイヤ装置が収容するユーザの割当て帯域に応じて、前記下位レイヤ装置のパスの設定を動的に制御するパス制御方法であって、前記遠隔装置が、前記ユーザ側終端装置の割当て帯域を計算するステップと、前記遠隔装置が、複数の前記ユーザ側終端装置の割当て帯域を集計すると共に、前記下位レイヤ装置のインタフェースの必要帯域を決定し、この必要帯域を集中局側の上位レイヤ装置へ通知するステップと、前記集中局側の上位レイヤ装置が、複数の前記遠隔装置の必要帯域から、複数の前記下位レイヤ装置に要求すべきパスの帯域を決定し、前記下位レイヤ装置へ要求するステップと、複数の前記下位レイヤ装置が、要求されたパスの帯域に従って、それぞれのパスの帯域を動的に設定し、パスを形成するステップと、を含むことを特徴とする。
【発明の効果】
【００１２】
この発明によれば、上位レイヤ装置と下位レイヤ装置間のパス制御を連携して動作させるようにしたので、ユーザの多様な使用帯域に対応した動的なパスの帯域制御を実現することができるという効果を奏する。
【図面の簡単な説明】
【００１３】
【図１】図１は、本発明の実施の形態にかかる光通信システムの構成例を示す図である。
【図２】図２は、図１に示したＡＤＭの詳細を示す構成図である。
【図３】図３は、ＩＴＵ−Ｔ Ｒｅｃｏｍｍｅｎｄａｔｉｏｎ Ｇ．７０９に示されたＯＴＵｋフレームの構造を示す図である。
【図４】図４は、図２に示したＡＤＭにおけるクライアントＩＦ部の詳細を示す図である。
【図５】図５は、図１に示したＯＬＴの詳細を示す構成図である。
【図６】図６は、図１に示したＲＮの詳細を示す構成図である。
【図７】図７は、図１に示した光通信システムにおけるパスの設定方法のフローチャートを示す図である。
【図８】図８は、ＡＤＭで構成されるリングネットワーク上のＯＤＵｆｌｅｘ帯域が変化する前の状態を示す図である。
【図９】図９は、ＡＤＭで構成されるリングネットワーク上のＯＤＵｆｌｅｘ帯域が変化した後の状態を示す図である。
【発明を実施するための形態】
【００１４】
以下に、本発明にかかる光通信システムおよび光通信システムのパス制御方法の実施の形態を図面に基づいて詳細に説明する。なお、この実施の形態によりこの発明が限定されるものではない。
【００１５】
実施の形態．
図１は、本発明の実施の形態にかかる光通信システムの構成例を示す図である。図１に示される光通信システムにおいて、ＯＬＴ（Optical Line Terminal）１は、ルータ４からの信号をＡＤＭ（Add-Drop Multiplexer）２１〜２４を介して、ＲＮ（Remote Node）３２〜３４と通信する集中局側の光終端装置（集中局側の上位レイヤ装置）である。
【００１６】
ＡＤＭ２１〜２４は、ＯＬＴ１やＲＮ３２〜３４の信号を収容し、リングネットワーク（「下位レイヤネットワーク」と称する場合もある）を構成する分岐挿入多重化装置である。例えば、ＡＤＭ２１は、ＯＬＴ１を収容し、ＡＤＭ２２は、ＲＮ３２を収容し、ＡＤＭ２３は、ＲＮ３３を収容し、ＡＤＭ２４は、ＲＮ３４を収容する。なお、ＡＤＭ２１〜２４は、「下位レイヤ装置」と称する場合もある。
【００１７】
ＲＮ３２〜３４は、ＡＤＭ２１〜２４を介してＯＬＴ１と通信すると共に、ユーザ側終端装置であるＯＮＵ（Optical Network Unit）３２−１〜３２−Ｎ、ＯＮＵ３３−１〜３３−Ｎ、およびＯＮＵ３４−１〜３４−Ｎを収容する遠隔局側の光終端装置（遠隔装置）である。例えば、ＲＮ３２は、ＯＮＵ３２−１〜３２−Ｎを収容し、ＲＮ３３は、ＯＮＵ３３−１〜３３−Ｎを収容し、ＲＮ３４は、ＯＮＵ３４−１〜３４−Ｎを収容する。なお、ＲＮ３２〜３４およびＯＮＵ３２−１〜３４−Ｎは、上位レイヤネットワークを構成する上位レイヤ装置である。
【００１８】
ＯＮＵ３２−１〜３４−Ｎは、ユーザからの信号を収容し、それぞれＲＮ３２〜３４との間で１：Ｎ通信を行ってＰＯＮ（Passive Optical Network）を構成するユーザ側の光網終端装置である。これら装置により、メトロ・アクセスネットワークが構成されている。
【００１９】
図２は、図１に示したＡＤＭ２１〜２４の詳細を示す構成図である。図２において、ＯＴＵ ＩＦ（Optical channel Transport Unit InterFace）部２０１、２０２は、ＯＴＵフレームを終端して隣接するＡＤＭ２１〜２４間で光通信を行うインタフェースである。クライアントＩＦ部２０３は、ＯＬＴ１やＲＮ３２〜３４との通信インタフェースである。ＯＤＵ分岐挿入部２０４は、ＯＴＵ ＩＦ部２０１、２０２とクライアントＩＦ部２０３との間で信号を分岐挿入する。なお、信号を分岐挿入するとは、ＯＤＵｆｌｅｘパスの分岐挿入容量（「ＯＤＵｆｌｅｘパスの帯域」と称する場合もある）を設定することである。ＡＤＭ制御部２０５は、ＯＬＴ１から要求されたＯＤＵｆｌｅｘ帯域に従ってＯＤＵ分岐挿入部２０４の分岐挿入容量を設定・制御する。その結果、ＡＤＭ２１〜２４によるリングネットワークのＯＤＵｆｌｅｘパスが形成される。
【００２０】
図３は、ＩＴＵ−Ｔ Ｒｅｃｏｍｍｅｎｄａｔｉｏｎ Ｇ．７０９に示されたＯＴＵｋフレームの構造を示す図である。図３において、ＯＴＵｋ（Optical channel Transport Unit-ｋ：ｋは伝送速度によりｋ＝１、２、３となる）フレームは、クライアント信号のような実際の通信データを格納するためのペイロードと、フレーム同期のためのＦＡ ＯＨ（Frame Alignment OverHead）と、保守監視情報のためのＯＴＵｋ ＯＨおよびＯＤＵｋ ＯＨ（Optical channel Data Unit-k OverHead）と、ペイロードのマッピングのためのＯＰＵｋ ＯＨ（Optical channel Payload Unit-k）とから構成されている。さらに、ＯＴＵｋフレームは、伝送後の光品質の劣化によるビット誤りを訂正するための誤り訂正符号の情報を格納するＦＥＣ（Forward Error Correction）冗長領域を有している。なお、一般的に、ＦＡ ＯＨ、ＯＴＵｋ ＯＨ、ＯＤＵｋ ＯＨ、およびＯＰＵｋ ＯＨから構成された部分をオーバヘッドと呼ぶ。
【００２１】
図４は、図２に示したＡＤＭ２１〜２４におけるクライアントＩＦ部２０３の詳細を示す図であり、ここでは、１００ＧｂＥ（100Gigabit Ethernet（登録商標））光インタフェースの例を示している。光送受信器２０３１は、１００ＧｂＥ光信号と電気信号との相互変換を行う。ＰＨＹ（physical layer）回路２０３２は、１００ＧｂＥの伝送路符号変換等を行い、ＭＡＣフレームをＧＦＰ−Ｆ（Generic Framing Procedure -Frame）処理回路２０３３へ送受信する。ＧＦＰ−Ｆ処理回路２０３３は、ＭＡＣフレームにＧＦＰヘッダを付加してＧＦＰフレームへカプセリングする。ＧＦＰフレームは、ＯＤＵｆｌｅｘ処理回路２０３４においてＯＤＵｆｌｅｘへマッピングされ、ＯＤＵ分岐挿入部２０４へ接続される。
【００２２】
図５は、図１に示したＯＬＴ１の詳細を示す構成図である。ネットワークＩＦ部１０１は、ルータ４と接続されて通信を行うインタフェースである。クライアントＩＦ部１０２はＡＤＭ２１と接続されて通信を行うインタフェースである。ＰＯＮ制御部１０３は、ネットワークＩＦ部１０１とクライアントＩＦ部１０２との間のデータ信号の転送を行うと共に、ＯＬＴ制御部１０４の指示に従って、ＲＮ３２〜３４との制御信号の通信を行う。ＯＬＴ制御部１０４は、ＰＯＮ制御部１０３の制御を行うと共に、ＡＤＭ２１のＡＤＭ制御部２０５との間で制御信号の通信を行う。ＯＬＴ制御部１０４は、例えば、ＲＮ３２、ＲＮ３３、およびＲＮ３４から通知された必要帯域から、ＡＤＭ２２〜２４へ要求すべきＯＤＵｆｌｅｘ帯域を決定し、ＡＤＭ２２〜２４へ要求する。より具体的には、決定されたＯＤＵｆｌｅｘ帯域は、ＡＤＭ２１を経由してＡＤＭ２２〜２４に通知される。なお、ＲＮ３２、ＲＮ３３、およびＲＮ３４から通知された必要帯域に関しては後述する。
【００２３】
図６は、図１に示したＲＮ３２〜３４の詳細を示す構成図である。クライアントＩＦ部３０１は、ＡＤＭ２１〜２４に接続され通信を行うインタフェースである。ＰＯＮ ＩＦ部３０２は、ＯＮＵ３２−１〜３４−Ｎとの間で、それぞれ、１：Ｎ通信を行うインタフェースである。ＲＮ制御部３０３は、ＯＮＵ３２−１〜３４−ＮとのＰＯＮ区間の通信制御を行う。
【００２４】
より具体的に説明する。ＲＮ制御部３０３は、収容しているＯＮＵ（例えば３２−１〜３２−Ｎ）の割当て帯域を計算する。これは、例えば、ＧＥ−ＰＯＮや１０ＧＥ−ＰＯＮにおいて標準化されているＭＰＣＰ（Multi Point Control Protocol）を使用してＧＡＴＥフレームおよびＲＥＰＯＲＴフレームを、ＲＮ３２とＯＮＵ３２−１〜３２−Ｎとの間でやり取りし、ＲＮ３２が各ＯＮＵ３２−１〜３２−Ｎに割り当てるべき帯域を計算する。さらに、ＲＮ制御部３０３は、収容しているＯＮＵの割当て帯域を集計して、アップリンクであるクライアントＩＦ部３０１の必要帯域を決定し、この必要帯域をＯＬＴ１へ通知する。なお、図１の例では、ＲＮ３２、ＲＮ３３、およびＲＮ３４から通知された必要帯域は、ＡＤＭ２１〜ＡＤＭ２４を介してＯＬＴ１に通知される。
【００２５】
次に動作について、図７を参照して説明する。図７は、図１に示した光通信システムにおけるパスの設定方法のフローチャートを示す図である。まず、ＲＮ３２〜３４は、それぞれ収容しているＯＮＵ３２−１〜３４−Ｎの割当て帯域を計算する（ステップＳ１）。次に、ＲＮ３２〜３４が、それぞれ収容しているＯＮＵ３２−１〜３４−Ｎの割当て帯域を集計して、クライアントＩＦ部３０１（インタフェース）の必要帯域を決定し、この必要帯域をＯＬＴ１へ通知する（ステップＳ２）。ＯＬＴ１は、通知された各ＲＮ３２〜３４の必要帯域からＡＤＭ２１〜２４へ要求すべきＯＤＵｆｌｅｘ帯域を決定してＡＤＭ２１〜２４へ要求する（ステップＳ３）。ＡＤＭ２１〜２４では、要求されたＯＤＵｆｌｅｘ帯域に従って、各ＡＤＭ２１〜２４内のＯＤＵ分岐挿入部２０４にＯＤＵｆｌｅｘ帯域を設定し、ＯＤＵｆｌｅｘパスを形成する（ステップＳ４）。
【００２６】
ここで、ＯＬＴ１とＲＮ３２〜３４との間の必要帯域の通知は、例えば、ＩＴＵ−Ｔ Ｒｅｃｏｍｍｅｎｄａｔｉｏｎ Ｙ．１７３１に規定されたＯＡＭ（Operations, Administration and Maintenance）フレームを拡張して、ＯＬＴ制御部１０４とＲＮ制御部３０３とで制御通信することにより行うことができる。また、ＯＬＴ１とＡＤＭ２１〜２４との間、およびＡＤＭ２１〜２４相互間の通知や要求は、ＧＭＰＬＳ（Generalized Multi-Protocol Label Switching）プロトコルを拡張して、ＯＬＴ制御部１０４とＡＤＭ制御部２０５との間、および異なるＡＤＭ２１〜２４のＡＤＭ制御部２０５間で制御通信することにより行うことができる。なお、ＧＭＰＬＳによる制御通信は、ＯＴＵ ＯＨやＯＡＭフレーム等を使用してＩｎ−ｂａｎｄで行っても、図示していない別の通信チャネルを用いてＯｕｔ ｏｆ ｂａｎｄで行ってもよい。
【００２７】
図８は、ＡＤＭ２１〜２４で構成されるリングネットワーク上のＯＤＵｆｌｅｘ帯域が変化する前の状態を示す図であり、図９は、ＡＤＭ２１〜２４で構成されるリングネットワーク上のＯＤＵｆｌｅｘ帯域が変化した後の状態を示す図である。
【００２８】
ここで、図８に示されるＯＤＵｆｌｅｘ−２２、ＯＤＵｆｌｅｘ−２３、およびＯＤＵｆｌｅｘ−２４の各帯域は以下のような容量を示している。例えば、図３に示したＯＴＵフレームのペイロード領域を４０のタイムスロットとし、ＡＤＭ２１〜２４間の伝送容量を１００Ｇｂ／ｓと仮定する。すなわち、１タイムスロットが２．５Ｇｂ／ｓである。
【００２９】
このとき、ＡＤＭ２２において分岐挿入されるタイムスロットが１〜１５相当のＯＤＵｆｌｅｘ−２２の帯域は、３７．５Ｇｂ／ｓの容量である。ＡＤＭ２３において分岐挿入されるタイムスロットが１６〜３５相当のＯＤＵｆｌｅｘ−２３の帯域は、５０．０Ｇｂ／ｓの容量である。また、ＡＤＭ２４において分岐挿入されるタイムスロットが３６〜４０相当のＯＤＵｆｌｅｘ−２４の帯域は、１２．５Ｇｂ／ｓの容量である。
【００３０】
今、ＲＮ３４が収容しているＯＮＵ３４−１〜ＯＮＵ３４−Ｎの要求帯域が増加し、ＲＮ３２が収容しているＯＮＵ３２−１〜ＯＮＵ３２−Ｎの要求帯域が減少し、ＲＮ３３が収容しているＯＮＵ３３−１〜ＯＮＵ３３−Ｎの要求帯域が減少したとする。このとき、ＡＤＭ２２〜ＡＤＭ２４のＯＤＵｆｌｅｘパスの帯域は、図７に示したフローチャートに従って変更される。図９には、ＡＤＭ２２〜ＡＤＭ２４のＯＤＵｆｌｅｘパスの帯域が変化した状態が示されている。具体的には、ＡＤＭ２２において分岐挿入されるタイムスロットが１〜１０相当のＯＤＵｆｌｅｘ−２２の帯域は、２５．０Ｇｂ／ｓの容量に変化し、ＡＤＭ２３において分岐挿入されるタイムスロットが１１〜１８相当のＯＤＵｆｌｅｘ−２３の帯域は２０．０Ｇｂ／ｓの容量に変化し、ＡＤＭ２４において分岐挿入されるタイムスロットが１９〜４０相当のＯＤＵｆｌｅｘ−２４の容量は、５５．０Ｇｂ／ｓの容量に変化する。
【００３１】
以上説明したように、ＯＮＵ３２−１〜３４−Ｎの割当て帯域を収集してクライアントＩＦ部３０１の必要帯域を決定し、この必要帯域をＯＬＴ１へ通知するＲＮ３２〜３４と、ＲＮ３２〜３４から通知された必要帯域に基づいてＡＤＭ２１〜２４へ要求すべきＯＤＵｆｌｅｘ帯域を決定してＡＤＭ２１〜２４へ要求するＯＬＴ１と、要求されたＯＤＵｆｌｅｘ帯域に従ってＡＤＭ２１〜２４内のＯＤＵ分岐挿入部２０４にＯＤＵｆｌｅｘ帯域を設定し、ＯＤＵｆｌｅｘパスを形成するＡＤＭ２１〜２４とを備えるようにしたので、上位レイヤ装置（例えばＲＮ３２〜３４）と下位レイヤ装置（例えば、ＡＤＭ２１〜ＡＤＭ２４）との間のパス制御を連携して動作させることができ、ユーザの多様な使用帯域に対応した動的なパスの帯域制御を実現し、柔軟で効率的な光通信システムを提供することが可能である。また、ＯＮＵ３２−１〜３４−Ｎの要求帯域に応じてＡＤＭ２２〜ＡＤＭ２４のＯＤＵｆｌｅｘパスの帯域が適切に制御されるため、光通信システム全体での消費エネルギーの増加を抑制することが可能である。
【００３２】
なお、本実施の形態では、１００Ｇｂ／ｓの伝送容量を４０のタイムスロットでＯＤＵｆｌｅｘ帯域をシェアする構成を示したが、異なる伝送容量や異なるタイムスロット数としてもよい。
【００３３】
また、本実施の形態では、ＡＤＭによりリングネットワークを構成した例を示したが、ＡＤＭの代わりに、パスの経路を切り替えるＸＣ（Cross-connect）装置を配置して、メッシュネットワークを構成した場合も、本実施の形態と同様な効果を奏することは言うまでもない。
【００３４】
また、本実施の形態では、ＲＮとＯＮＵでＰＯＮを構成している例を示したが、Ｌ２スイッチとメディアコンバータでＡＯＮ（Active Optical Network）を構成し、Ｌ２スイッチとメディアコンバータとの間で割当て帯域を計算するようにしても、本実施の形態と同様な効果を奏することは言うまでもない。
【００３５】
また、本実施の形態では、ＲＮとＯＮＵでＰＯＮを構成している例を示したが、ＲＮとＯＮＵでＧＥ−ＰＯＮ、１０ＧＥ−ＰＯＮ、あるいはＥｔｈｅｒｎｅｔ（登録商標）を構成する場合も、本実施の形態と同様な効果を奏することは言うまでもない。
【００３６】
また、本実施の形態に示した光通信システムは、本発明の内容の一例を示すものであり、更なる別の公知の技術と組み合わせることも可能であるし、本発明の要旨を逸脱しない範囲で、一部を省略する等、変更して構成することも可能であることは無論である。
【産業上の利用可能性】
【００３７】
以上のように、本発明は、光通信システムに適用可能であり、特に、ユーザの多様な使用帯域に対応した動的なパスの帯域制御を実現することができる発明として有用である。
【符号の説明】
【００３８】
１  ＯＬＴ（集中局側の上位レイヤ装置）
４  ルータ
２１、２２、２３、２４  ＡＤＭ（下位レイヤ装置）
３２、３３、３４  ＲＮ（遠隔装置）
３２−１、３２−２、３２−３、３２−Ｎ、３３−１、３３−２、３３−３、３３−Ｎ、３４−１、３４−２、３４−３、３４−Ｎ  ＯＮＵ
１０１  ネットワークＩＦ部  
１０２、２０３  クライアントＩＦ部
１０３  ＰＯＮ制御部
１０４  ＯＬＴ制御部
２０１、２０２  ＯＴＵ ＩＦ部
２０４  ＯＤＵ分岐挿入部
２０５  ＡＤＭ制御部
３０１  クライアントＩＦ部（インターフェイス）
３０２  ＰＯＮ ＩＦ部
３０３  ＲＮ制御部
２０３１  光送受信器
２０３２  ＰＨＹ回路
２０３３  ＧＦＰ−Ｆ処理回路
２０３４  ＯＤＵｆｌｅｘ処理回路
【図１】
2012124595.tif 000003
【図２】
2012124595.tif 000004
【図３】
2012124595.tif 000005
【図４】
2012124595.tif 000006
【図５】
2012124595.tif 000007
【図６】
2012124595.tif 000008
【図７】
2012124595.tif 000009
【図８】
2012124595.tif 000010
【図９】
2012124595.tif 000011